(57)【要約】航空機乗組員用のマルチフェースヘッドセット（５０）が与えられる。該ヘッドセット（５０）は、マウンティングアセンブリ（５２）により使用者（６０）の頭部上に保持される膨張可能なガスマスクユニット（５４）およびバイザユニット（５６）を含む。また、包括的なヘッドセット（５０）は選択的に、および／または自動的に動作可能な動力およびコントロールアセンブリ（６０）を含む。好ましくは、マウンティングアセンブリ（５２）は、マスクユニット（５４）およびバイザユニット（５６）が使用者の頭頂部の近くにあるように、ヘッドセット（５０）を使用者の頭部上に配置させる１組のイアピース（６２、６４）およびストラップアセンブリ（６６）を含む。緊急事態の際、マスクユニット（５４）は下げられ、マスク本体（１２４）は、使用者（６０）に呼吸用のガスを供給するため、膨張される。また、バイザユニット（５６）は、マスクユニット（５４）直上の使用位置に下げられてもよい。空気駆動の、または電動の動力およびコントロールアセンブリ（６０）は、マスクユニット（５４）およびバイザユニット（５６）をその収縮された位置および装備された位置間で移動するよう作用する。煙の侵入を防止するため、マスクユニット（５４）およびバイザユニット（５６）の上縁部および下縁部に沿って、物理的なシールまたはエアカーテン通路（１４４、２８６）が与えられてもよい。
2005510262.tif 000002
【特許請求の範囲】
【請求項１】
使用者の頭部に装着されるように設計されたマウンティングアセンブリと、
前記マウンティングアセンブリにより保持されており、少なくとも前記使用者の鼻および口部分を覆うように設計されたマスク本体を含んだマスクユニットよりなり、
前記マスクユニットは、前記マスク本体が前記使用者の頭頂部の近くにある収縮された位置と、前記マスク本体が前記鼻および口部分の近くにある装備された位置と、の間で移動可能であり、
前記マスクユニットは、前記マスク本体が前記装備された位置にある時に、該マスク本体に呼吸用のガスを供給するよう動作可能なガス通路を含むヘッドセット。
【請求項２】
前記マウンティングアセンブリは、対向させて配置された１組のイアピースと、
前記イアピースに固定されており、前記使用者の頭頂部上を通過するように設計された細長い弧状をした固定式ストラップと、を含む請求項１に記載のヘッドセット。
【請求項３】
前記マウンティングアセンブリは、前記固定式ストラップに近い収縮された位置と、前記使用者の後頭部の周囲を通過する装備された位置と、の間で移動可能な弧状をした可動式ストラップを含む請求項２に記載のヘッドセット。
【請求項４】
前記マウンティングアセンブリは、対向させて配置された１組のイアピースを含み、前記イアピースは、該イアピースに固定された１組の弧状をした固定式ストラップを有し、該固定式ストラップの一方は、前記使用者の頭頂部上を延び、他方は、前記使用者の後頭部の周囲を延びる請求項１に記載のヘッドセット。
【請求項５】
前記マウンティングアセンブリは、対向させて配置された１組のイアピースを含み、前記イアピースは、該イアピースに固定されており、前記使用者の後頭部上を延びるように設計された弧状をした頭蓋キャップ体を含む請求項１に記載のヘッドセット。
【請求項６】
前記マウンティングアセンブリは、対向させて配置された１組のイアピースを含み、前記イアピースは、該イアピースに固定された１組の弧状をした固定式ストラップを含み、前記ストラップの一方は、前記使用者の後頭部の周囲を延び、他方は、該一方のストラップに対してある角度で前記イアピースから上方に延びる請求項１に記載のヘッドセット。
【請求項７】
前記マウンティングアセンブリに保持されており、前記使用者の頭頂部に近い収縮された位置と、前記使用者の眼を覆う装備された位置と、の間で移動可能なバイザユニットを含む請求項１に記載のヘッドセット。
【請求項８】
前記バイザユニットは、前記装備された位置では、前記マスク本体の直上に配置される請求項７に記載のヘッドセット。
【請求項９】
前記バイザは、上縁部を含み、該上縁部の近くに前記バイザに煙が侵入するのを防止するためのデバイスを有する請求項７に記載のヘッドセット。
【請求項１０】
前記デバイスは、前記上縁部に沿った一連のガスアウトレット開口部と、前記アウトレット開口部に加圧ガスを伝達するためのコンジットと、を有する請求項９に記載のヘッドセット。
【請求項１１】
前記デバイスは、膨張された状態では前記使用者の額とかみ合う、選択的に膨張可能なベローを含む請求項９に記載のヘッドセット。
【請求項１２】
前記マスクユニットは、前記収縮された位置にある時には収縮された形状を有し、
前記装備された位置に移動した際には、該マスクユニットは顔とかみ合う位置に移動可能である請求項１に記載のヘッドセット。
【請求項１３】
前記マスク本体は、膨張可能なベローを含み、該マスク本体が前記装備された位置にある時には、前記ベローを選択的に膨張するための、前記ベローと動作可能に結合された加圧ガスのコンジットを有する請求項１２に記載のヘッドセット。
【請求項１４】
前記マスク本体の互いに対向する側に配置されており、煙の侵入を防止するように動作可能なシーリング構造を有する請求項１に記載のヘッドセット。
【請求項１５】
前記シーリング構造は、前記マスク本体の互いに対向する側に固定された柔軟性を有するスカート部分と、該スカート部分を移動させて前記使用者の顔にかみ合わせるための、該スカート部分と結合されたオペレータよりなる請求項１４に記載のヘッドセット。
【請求項１６】
前記シーリング構造は、前記マスク本体の互いに対向する側にある１組のブラシ部分と、前記ブラシ部分を移動させて前記使用者の顔にかみ合わせるための、該ブラシ部分と結合されたオペレータよりなる請求項１４に記載のヘッドセット。
【請求項１７】
前記マスクユニットは、マスク本体を保持する、前記イアピースと回転可能に接続された弧状をしたアームを含み、前記シーリング構造は、前記アームの長手に沿った一連のガスアウトレット開口部と、前記ガスアウトレット開口部に加圧ガスを伝達するための、該開口部と連絡する加圧ガスのコンジットと、を含む請求項１４に記載のヘッドセット。
【請求項１８】
前記イアピースの一方に保持された動力およびコントロールアセンブリを含み、前記動力およびコントロールアセンブリは、前記マスクユニットを前記収縮された位置と、前記装備された位置と、の間で選択的に移動させるために、該マスクユニットと動作可能に結合されている請求項１に記載のヘッドセット。
【請求項１９】
前記動力およびコントロールアセンブリは、コントローラおよびドライバを含み、前記ドライバは、前記マスクユニットと動作可能に結合されている請求項１８に記載のヘッドセット。
【請求項２０】
前記ドライバは、可動式ラックと、前記マスクユニットと結合されるかみ合い歯車を含み、前記コントローラは、前記ラックを選択的に移動させるための空気駆動の弁ユニットを含む請求項１９に記載のヘッドセット。
【請求項２１】
前記ラックは、空気駆動のシリンダと動作可能に結合されており、前記空気駆動の弁ユニットは、該シリンダと結合されている請求項２０に記載のヘッドセット。
【請求項２２】
前記ドライバは、ピストンアンドシリンダアセンブリを含み、前記アセンブリのロッドは、前記マスクユニットと接続された細長いタイエレメントと結合されており、前記コントローラは、前記ピストンアンドシリンダアセンブリと結合された空気駆動の弁アセンブリを含む請求項１８に記載のヘッドセット。
【請求項２３】
前記ドライバは、協働して空気駆動のチャンバを定義する、相対的に移動可能な１組のスロット付ディスクを含み、前記コントローラは、前記チャンバと結合された空気駆動の弁アセンブリを含み、前記チャンバに圧力を加えた際には、前記ディスクのうち少なくとも一方は他のディスクに対して相対移動する請求項１８に記載のヘッドセット。
【請求項２４】
前記ドライバは、１組のインターメッシュされた歯車、電動モータおよび前記電動モータを選択的に動作させるための電気回路を含み、前記歯車の１つは、前記マスクユニットと結合されており、前記電動モータは、前記１つの歯車と結合されている請求項１８に記載のヘッドセット。
【請求項２５】
前記コントローラは、空気駆動の弁アセンブリを含み、前記弁アセンブリは、手動で動作可能である請求項１８に記載のヘッドセット。
【請求項２６】
前記弁アセンブリは、該弁アセンブリを自動的に動作させるためのオーバーライドを含む請求項２５に記載のヘッドセット。
【請求項２７】
前記オーバーライドは、アネロイドを含む請求項２６に記載のヘッドセット。
【請求項２８】
前記オーバーライドは、音声で起動されるオペレータを含む請求項２６に記載のヘッドセット。
【請求項２９】
使用者の頭部に装着されるように設計されたマウンティングアセンブリと、
前記マウンティングアセンブリにより保持されており、前記使用者の眼を覆うように設計されたバイザを含み、前記使用者の頭頂部に近い収縮された位置と、前記使用者の眼を覆う装備された位置と、の間で移動可能なバイザユニットと、
前記バイザユニットを前記収縮された位置と前記装備された位置との間で選択的に移動させるための、前記バイザユニットと動作可能に結合された動力およびコントロールアセンブリと、を含むヘッドセット。
【請求項３０】
前記マウンティングアセンブリは、対向させて配置された１組のイアピースを含み、前記イアピースは、該イアピースに固定されており、前記使用者の頭頂部上を通過するように設計された弧状をした固定式ストラップを有する請求項２９に記載のヘッドセット。
【請求項３１】
前記マウンティングアセンブリは、前記固定式ストラップに近い収縮された位置と、前記使用者の後頭部の周囲を通過する装備された位置と、の間で移動可能な弧状をした可動式ストラップを含む請求項３０に記載のヘッドセット。
【請求項３２】
前記マウンティングアセンブリは、対向させて配置された１組のイアピースを含み、前記イアピースは、該イアピースに固定された１組の弧状をした固定式ストラップを有し、該固定式ストラップの一方は、前記使用者の頭頂部上を延び、他方は、前記使用者の後頭部の周囲を延びる請求項２９に記載のヘッドセット。
【請求項３３】
前記マウンティングアセンブリは、対向させて配置された１組のイアピースを含み、前記イアピースは、該イアピースに固定されており、前記使用者の頭部の後頭部上を延びるように設計された弧状をした頭蓋キャップ体を有する請求項２９に記載のヘッドセット。
【請求項３４】
前記マウンティングアセンブリは、対向させて配置された１組のイアピースを含み、前記イアピースは、該イアピースに固定された１組の弧状をした固定式ストラップを有し、該固定式ストラップのうち一方は、前記使用者の後頭部の周囲を延び、他方は、前記１つのストラップに対してある角度で前記イアピースから上方に延びる請求項２９に記載のヘッドセット。
【請求項３５】
前記バイザは、上縁部を含み、該上縁部の近くには前記バイザに煙が侵入するのを防止するためのデバイスを有する請求項２９に記載のヘッドセット。
【請求項３６】
前記デバイスは、前記上縁部に沿った一連のガスアウトレット開口部と、前記アウトレット開口部に加圧ガスを伝達するためのコンジットと、を有する請求項３５に記載のヘッドセット。
【請求項３７】
前記デバイスは、膨張された状態では前記使用者の額とかみ合う、膨張可能なベローを含む請求項３５に記載のヘッドセット。
【請求項３８】
前記動力およびコントロールアセンブリは、コントローラおよびドライバを含み、前記ドライバは、前記マスクユニットと動作可能に結合されている請求項２９に記載のヘッドセット。
【請求項３９】
前記ドライバは、可動式ラックと、前記マスクユニットと結合されたかみ合い歯車と、を含み、前記コントローラは、前記ラックを選択的に移動するための空気駆動の弁ユニットを含む請求項３８に記載のヘッドセット。
【請求項４０】
前記ラックは、空気駆動のシリンダと動作可能に結合されており、前記空気駆動の弁ユニットは、該シリンダと結合されている請求項３９に記載のヘッドセット。
【請求項４１】
前記ドライバは、ピストンアンドシリンダアセンブリを含み、前記アセンブリのロッドは、前記マスクユニットと接続された細長いタイエレメントと結合されており、前記コントローラは、前記ピストンアンドシリンダアセンブリと結合された空気駆動の弁アセンブリを含む請求項３８に記載のヘッドセット。
【請求項４２】
前記ドライバは、協働して空気チャンバを定義する、相対的に移動可能な１組のスロット付ディスクを含み、前記コントローラは、前記チャンバと結合された空気駆動の弁アセンブリを含み、前記チャンバに圧力を加えた際には、前記ディスクのうち少なくとも一方は他のディスクに対して相対移動する請求項３８に記載のヘッドセット。
【請求項４３】
前記ドライバは、１組のインターメッシュされた歯車、電動モータおよび前記電動モータを選択的に動作させるための電気回路を含み、前記歯車の１つは、前記マスクユニットと結合されており、前記電動モータは、前記１つの歯車と結合されている請求項３８に記載のヘッドセット。
【請求項４４】
前記コントローラは、空気駆動の弁アセンブリを含み、前記弁アセンブリは、手動で動作可能である請求項３８に記載のヘッドセット。
【請求項４５】
前記弁アセンブリは、該弁アセンブリを自動的に動作させるためのオーバーライドを含む請求項４４に記載のヘッドセット。
【請求項４６】
前記オーバーライドは、アネロイドを含む請求項４５に記載のヘッドセット。
【請求項４７】
前記オーバーライドは、音声で起動されるオペレータを含む請求項４４に記載のヘッドセット。
【請求項４８】
少なくとも使用者の鼻および口部分を覆うように設計されたマスク本体を含むマスクユニットと、
前記マスクユニットを前記使用者の頭部に装着するための手段と、
前記マスクユニットを前記マスク本体が前記使用者の頭頂部の近くにある収縮された位置と、前記マスク本体が前記鼻および口部分の近くにある装備された位置と、の間で移動するための手段よりなり、
前記マスクユニットは、前記マスク本体が前記装備された位置にある時に該マスク本体に呼吸用のガスを供給するように動作可能なガス通路を含むヘッドセット。
【請求項４９】
前記装着するための手段は、固定式ストラップと、弧状をした可動式ストラップと、を含み、
前記可動式ストラップは、前記固定式ストラップに近い収縮された位置と、前記使用者の後頭部の周囲を通過する装備された位置との間で移動可能な請求項４８に記載のヘッドセット。
【請求項５０】
前記装着するための手段は、対向させて配置された１組のイアピースを含み、
前記イアピースは、該イアピースに固定された１組の弧状をした固定式ストラップを有し、
前記固定式ストラップのうち一方は、前記使用者の頭頂部上を延び、他方は、前記使用者の後頭部の周囲を延びる請求項４８に記載のヘッドセット。
【請求項５１】
前記装着するための手段は、対向させて配置された１組のイアピースを含み、前記イアピースは、該イアピースに固定され、前記使用者の後頭部上を延びるように設計された弧状をした頭蓋キャップ体を含む請求項４８に記載のヘッドセット。
【請求項５２】
前記装着するための手段は、対向させて配置された１組のイアピースを含み、前記イアピースは、該イアピースに固定された１組の弧状をした固定式ストラップを含み、前記固定式ストラップのうち一方は、前記使用者の後頭部の周囲を延びており、他方は、該一方のストラップに対してある角度で前記イアピースから上方に延びる請求項４８に記載のヘッドセット。
【請求項５３】
前記装着するための手段により保持されており、前記使用者の頭頂部に近い収縮された位置と、前記使用者の眼を覆う装備された位置と、の間で移動可能なバイザ手段を含む請求項４８に記載のヘッドセット。
【請求項５４】
前記バイザ手段は、前記装備された位置では前記マスク本体の直上に配置される請求項５３に記載のヘッドセット。
【請求項５５】
前記バイザ手段は、上縁部を含み、該上縁部の近くには前記バイザに煙が侵入するのを防止するための手段を有する請求項５３に記載のヘッドセット。
【請求項５６】
前記バイザに煙が侵入するのを防止するための手段は、前記上縁部に沿った一連のガスアウトレット開口部と、前記アウトレット開口部に加圧ガスを伝達するコンジットよりなる請求項５５に記載のヘッドセット。
【請求項５７】
前記煙が侵入するのを防止するための手段は、膨張された状態では前記使用者の額とかみ合う、選択的に膨張可能なベローを含む請求項５５に記載のヘッドセット。
【請求項５８】
前記マスクユニットは、前記収縮された位置にある時には収縮された形状を有し、
前記装備された位置に移動した際には、該マスクユニットは顔とかみ合う位置に移動可能な請求項４８に記載のヘッドセット。
【請求項５９】
前記マスク本体は、膨張可能なベローを含み、該マスク本体が前記装備された位置にある時に前記ベローを選択的に膨張するための、前記ベローと動作可能に結合される加圧ガスのコンジットを有する請求項５８に記載のヘッドセット。
【請求項６０】
前記マスク本体の互いに対向する側に配置されており、煙の侵入を防止するように動作可能なシーリング手段を有する請求項４８に記載のヘッドセット。
【請求項６１】
前記シーリング手段は、前記マスク本体の互いに対向する側に固定された、柔軟性を有するスカート部分と、前記スカート部分を移動させて前記使用者の顔とかみ合わせるための、該スカート部分と結合されたオペレータと、を有する請求項６０に記載のヘッドセット。
【請求項６２】
前記シーリング手段は、前記マスク本体の互いに対向する側にある１組のブラシ部分と、前記ブラシ部分を移動させて前記使用者の顔にかみ合わせるための、該ブラシ部分と結合されたオペレータと、を含む請求項６０に記載のヘッドセット。
【請求項６３】
前記マスクユニットは、マスク本体を保持する、前記イアピースと回転可能に接続された弧状をしたアームを含み、前記シーリング手段は、前記アームの長手に沿った一連のガスアウトレット開口部と、前記開口部に加圧ガスを伝達するための、該開口部と連絡する加圧ガスのコンジットと、を含む請求項６０に記載のヘッドセット。
【請求項６４】
前記イアピースの一方に保持された動力およびコントロール手段を含み、前記動力およびコントロール手段は、前記マスクユニットを前記収縮された位置と前記装備された位置との間で選択的に移動させるために該マスクユニットと動作可能に結合されている請求項４８に記載のヘッドセット。
【請求項６５】
前記動力およびコントロール手段は、コントローラおよびドライバを含み、前記ドライバは、前記マスクユニットに動作可能に結合されている請求項６４に記載のヘッドセット。
【請求項６６】
前記ドライバは、可動式ラックと、前記マスクユニットと結合されたかみ合い歯車と、を含み、前記コントローラは、前記ラックを選択的に移動するための空気駆動の弁ユニットを含む請求項６５に記載のヘッドセット。
【請求項６７】
前記ラックは、空気駆動のシリンダと動作可能に結合されており、前記空気駆動の弁ユニットは、該シリンダと結合されている請求項６５に記載のヘッドセット。
【請求項６８】
前記ドライバは、ピストンアンドシリンダアセンブリを含み、前記アセンブリのロッドは、前記マスクユニットと接続された細長いタイエレメントと結合されており、前記コントローラは、前記ピストンアンドシリンダアセンブリと結合された空気駆動の弁アセンブリを含む請求項６４に記載のヘッドセット。
【請求項６９】
前記ドライバは、協働して空気駆動のチャンバを定義する相対的に移動可能な１組のスロット付ディスクを含み、前記コントローラは、前記チャンバと結合された空気駆動の弁アセンブリを含み、前記チャンバに圧力を加えた際には、前記ディスクのうち少なくとも一方は他のディスクに対して相対移動する請求項６４に記載のヘッドセット。
【請求項７０】
前記ドライバは、１組のインターメッシュされた歯車、電動モータおよび前記電動モータを選択的に動作させるための電気回路を含み、前記歯車の１つは、前記マスクユニットと結合されており、前記電動モータは、前記１つの歯車を結合されている請求項６４に記載のヘッドセット。
【請求項７１】
前記コントローラは、空気駆動の弁アセンブリを含み、前記弁アセンブリは、手動で動作可能である請求項６４に記載のヘッドセット。
【請求項７２】
前記弁アセンブリは、該弁アセンブリを自動的に動作させるためのオーバーライドを含む請求項７１に記載のヘッドセット。
【請求項７３】
前記オーバーライドは、アネロイドを含む請求項７２に記載のヘッドセット。
【発明の詳細な説明】
【技術分野】
【０００１】
関連する出願
本願は、２００１年７月２日に出願された仮出願番第６０／３３１，３７２号の利益を要求する。
【０００２】
発明の背景
発明の分野
本発明は、概して航空機乗組員用の改善されたヘッドセットに関する。該ヘッドセットは、装着するのが容易であり、装着者の頭頂部上の収縮された位置から、下げられた、装備された位置へと、自動的に、または手動で移動可能な、マスクユニットおよびバイザユニットを含む。この方法により、フライトデッキの減圧やフライトデッキ内での発煙のような緊急事態の際、乗組員はほとんど、または全く労力を要することなく、非常に速やかに呼吸用のガスを受けたり、眼の防護を有することができる。
【０００３】
従来技術の説明
政府の規則に従って、有人航空機のフライトデッキには、フライトデッキの減圧または発煙のような緊急事態の際に、乗組員が使用する緊急時用の酸素機器が与えられている。そのような機器は、通常は乗組員の近くに収納されるマスク（フルフェースの、または装着者の鼻および口の部分を覆うもの）を含む。緊急事態が発生した際、マスクは収納箱からつかんで引き出され、乗組員によって装着される。マスクは、酸素供給用のホースと結合されており、緊急用の酸素、または空気と酸素の混合物がマスクに供給される。通常は、この種の緊急時用マスクは、５秒以内で装着できることが必要である。
【０００４】
米国特許第４，９１５，１０６号明細書には、膨張可能なハーネスを有する乗務員酸素マスクが開示されている。より正確に言うと、マスクが収納箱から引き出されると、ハーネスストラップが膨張して、実質的に膨張された形状となり、マスクアセンブリを使用者の頭上に速やかに載せることができる。その後、弁機構が起動して、ハーネスストラップを収縮させて、ハーネスがピンと張った状態となり、マスクが適所にしっかりと保持される。第４，９１５，１０６号明細書には、さらに乗務員がハーネスストラップの有効張力を調節するための快適性調節機構が開示されている。米国特許第３，５９９，６３６号明細書は、同様のハーネス膨張マスクアセンブリを開示している。
【０００５】
この種の乗組員酸素マスクは、速やかに装着可能であるとともに、緊急事態より前に、乗組員がマスクを見つけ、収納箱から引き出し、装着できるように準備されていることが必要である。航空機の高度によっては、乗組員の対応の遅れや、酸素不足を認識しそこなった場合、大災害につながる可能性がある。さらに、膨張可能なハーネスマスクは、かなり大きく、嵩高な収納デバイスおよび関連機器を必要とし、それらは各乗組員の比較的近くに配置しなければならない。これは、既にびっしり埋まった乗組員のフライトデッキ内の貴重な空間を割くこととなる。最後に、大型の商業用の航空機では、従来のマスクと関連する酸素用のホースは、かなり長くなり、このこともまた、収納デバイスがかなりの大きさであることを要求する。
【０００６】
フライトデッキで遭遇する可能性のある別の危険は、電気系の火災等に起因する煙の存在である。既存の乗組員用の酸素機器は、発煙時に乗組員に呼吸用のガスを供給することができるが、煙の存在は、眼の炎症（ハーフマスクを装着している場合）を生じさせたり、乗組員の視界が実質的に損なわせる。この問題に関して、いくつかのバイザまたは他の眼の防護デバイスが提案されている。しかし、多くの場合において、追加の煙防護機器は、さらに貴重なスペースを割くこととなり、装着時間をさらに必要とする。大型の商業用の航空機において、機器が収納される位置が複数あり、機器の誤配置、紛失、盗難または損傷につながる可能性がある。
【０００７】
したがって、本技術分野において、フライトデッキの緊急事態の際に速やかに装着できる能力を維持しつつ、膨張可能なハーネスマスクに特有の独立した収納デバイスおよび追加の長い酸素用のホースの必要性が排除された、改善された航空機乗組員用の酸素および煙防護機器に対する必要性が存在する。
【０００８】
発明の要約
本発明は、上記概略を示した問題を解決し、小型で、容易に装着できる乗組員ヘッドセットを提供する。該ヘッドセットは、乗組員の頭部直上の、上方の収納された位置から、下げられた、装備された位置へと移動可能な、選択的に使用可能なマスクユニットおよびバイザユニットを有する。概して、本発明のヘッドセットは、可動式のマスクユニットおよびバイザユニットを保持するマウンティングアセンブリおよび空気駆動または電動の動力およびコントロールアセンブリ（ｍｏｔｉｖｅ  ａｎｄ  ｃｏｎｔｒｏｌ  ａｓｓｅｍｂｌｙ）を含む。マスクユニットおよびバイザユニットの移動は、手動で、またはコントロールボタン等、アネロイド、音声コマンドオペレータ、若しくは煙検知器により自動的に実行することができる。
【０００９】
１つの好ましい形態において、マスクユニットは、装備された際に使用者の鼻および口部分とかみ合う、膨張可能なマスク本体または予め成形されたフェースシールと、膨張されたマスク本体に呼吸用のガスを供給するガス通路を含む。また、マスクユニットは、ヘッドセット内への煙の侵入を防止する手段を含む。この手段は、膨張可能なマスクの互いに対向する側に形成された、内側方向に加圧空気を誘導する一連のエアカーテンアウトレット通路、または柔軟性を有するシート状の、若しくはブリストルバリア（ｂｒｉｓｔｌｅ  ｂａｒｒｉｅｒ）よりなる。
【００１０】
バイザユニットは、透明なレンズを有し、その上縁部に沿った一連のエアカーテンアウトレット通路を含んでもよい。加圧ガスは、アウトレット通路へと導かれ、使用者の額方向に誘導されるエアカーテンを形成する。このようにして、バイザユニット内への煙の侵入は防止される。同じ目的のため、エアカーテン通路の代わりに、膨張可能なベローまたは柔軟性を有するカーテンを使用してもよい。マスクユニットおよびバイザユニットの装着は、非常に速やかであり、緊急事態において、マスクを物理的につかむこと、装着すること、および調節することの必要性は完全に排除される。
【００１１】
好適実施形態の詳細な説明
図面を参照すると、本発明の好ましいヘッドセット５０は、図１〜１６、２０、４５および４８に示される。概して、ヘッドセット５０は、ヘッドマウンティングアセンブリ５２、マスクユニット５４、バイザユニット５６、ならびに動力およびコントロールアセンブリ（ｍｏｔｉｖｅ  ａｎｄ  ｃｏｎｔｒｏｌ  ａｓｓｅｍｂｌｙ）５８を含む（図２０〜２１参照）。ヘッドセット５０は、マスクユニット５４およびバイザユニット５６が収縮された位置（図２参照）と、緊急事態時の装備された位置（図３）とを、選択的に保持するように、使用者により装着されるように設計されている。
【００１２】
より詳細には、マウンティングアセンブリ５２は、使用者６０の耳を覆うように配置された、対向させて配置された１組のイアピース６２、６４と、該イアピース６２、６４の間を延びており、使用者の頭頂部の上を延びるように設計された弧状をしたストラップアセンブリ６６を含む。イアピース６２は、上方にある、端部が開放したスロット６８と、各々酸素ライン７４および電力用の導線７６と結合するためのフィッティング７０、７２を含む（図１〜２参照）。イアピース６２の外側面には、レギュレータのセレクターノブ７８、レギュレータの空気入口スロット７９、マスクユニット５４およびバイザユニット５６を動作させるための起動ボタン８０、８２を含む。対向させて配置されたイアピース６４も同様に、上方にある、端部が開放したスロット８４を有する。また、このイアピースは、選択的に装備可能なマイクロフォン８６および網膜でスキャンするディスプレイデバイス８８を回転可能に保持している。各イアピース６２、６４の内面には、外接するパッド９０およびイヤホン９２が与えられている。そのようなディスプレイデバイスおよび乗組員マスクにおけるその使用は、２００１年７月２日に出願された、発明の名称“コクピット緊急事態時における煙に対する網膜スキャン計装ディスプレイを有する航空機乗組員マスク”である、同時係属の、同日出願に詳細に記載されている。各イアピース６２、６４の内面には、外接するパッド９０およびイヤホン９２が与えられている。
【００１３】
ストラップアセンブリ６６は、イアピース６２、６４に接続されており、使用者の頭頂部の上方を通過するように、該イアピース６２、６４から上方向に延びる、弧状をした固定式ストラップ９４を含む。さらに、アセンブリ６６は、スロット６８、８４内において、固定式ストラップ９４の近くの収縮された位置（若しくは収納された位置）と、使用者の後頭部の周囲を通過する装備された位置と、の間で移動可能な、イアピース６２、６４と回転可能に接続された可動式ストラップ９６を有する（図５〜図７参照）。ストラップ９６の選択的な移動は、以下に記載するマスクユニット５４の移動をもたらす。
【００１４】
マスクユニット５４は、１組の側部アーム１００、１０２と、中央の湾曲部分１０４を与える弧状をした、通常はＵ字状の剛体９８を含む。湾曲部分１０４は、一連の排気スロット１０６と、マイクロフォン８６の端部を受けるための溝１０８を有する。各アーム１００、１０２の内側端部は、対応するイアピース６２、６４の内側に位置している。すなわち、アーム１００、１０２は、スロット６８、８４内へと延びており、ピン１１０を介してイアピース６２、６４と回転可能に接続されている（図１６参照）。アーム１００には、アウトレット１１３で終端を成す呼吸用のガス通路１１２、および湾曲部分１０４へと延びており、膨張用の開口部１１５で終端を成す、マスク膨張用のより小さなコンジット１１４が与えられている。最後に、アーム１００、１０２はいずれも、細長いスロット１１６、１１８が与えられており、該スロット１１６、１１８は、対応する手動で動作可能なスライドラグ１２０、１２２を受ける。該スライドラグ１２０、１２２は視界を明瞭にするために重要である。
【００１５】
包括的なマスクユニットは、さらに柔軟性を有し、弾性を持ち、膨張可能なベロータイプのマスク本体１２４を含み、該マスク本体１２４は、中央の湾曲部分１０４で、Ｕ字状の剛体９８の内面に取り付けられている。この目的のために、マスク本体１２４の中央部は、Ｕ字状の本体９８内面に形成されたチャンネル１２８内部で受けられる、突出したビード１２６を含む。柔軟性を有するマスク本体１２４の外側寄りの端部は、スライドラグ１２０、１２２と接続されている。
【００１６】
マスク本体１２４は、使用のために膨張されるように設計されている。特に、マスクユニット５４の収縮された位置では、本体１２４は膨張されない（例えば、図１、２参照）。しかし、ユニット５４が下げられた、装備された位置にある場合、マスク本体１２４は、コンジット１１４を通過する加圧ガスの移動により膨張される。この動作は、図１４に示すように、マスクを膨張させて、マスクの内側面を使用者の顔に接触させて、鼻および口部分を覆うように作用する。この形式のマスク１２４の膨張は、図１２に示すように膨張されたマスクが鼻および口部分、ならびに顔部分を囲むように伸張して、マスクの反対側が該部分を覆うまで、スライドラグ１２０、１２２と接続されたマスクの端部をアーム１００、１０２の長手に沿って移動させる。使用者がマスク本体１２４を手動で引き伸ばしたい場合、またはハングアップが起こった場合、スライドラグ１２０、１２２は、各スロット１１６、１１８に沿って、後方に手動で移動させてもよく、これによりマスク本体１２４が図１２の位置となる。
【００１７】
多くのタイプのマスクユニットで一般的に行われているように、ユニット５４は、排気スロット１０６の反対側に、湾曲部分１０４の後面に形成された排気用の中央開口部１３０を含む。開口部１３０は、通常はダイヤフラム１３２により閉止されている。該ダイヤフラム１３２は、ばね１３４により閉止された位置方向にバイアスされている。
【００１８】
また、バイザユニット５６は、多少Ｕ字状をしたメインボディ１３６を含み、該メインボディ１３６は、細長いサイドアーム１３８、１４０を有する。また、該サイドアーム１３８、１４０は、イアピーススロット６８、８４内側に受けられる。または、ボディ１３６は、内部コンジット１４２と、該ボディの内側面に沿って、横方向に間隔を開けて配置された一連のガスアウトレット通路１４４とを備えていてもよい。
【００１９】
動力およびコントロールアセンブリ５８は、イアピース６２の内側に収納されており、マスクユニット５４（ストラップアセンブリ６６とともに）およびバイザユニット５６を手動で、または自動的に、装備できるように設計されている。すなわち、周囲の状態に応じて、マスクユニット５４は、アセンブリ５６とともに装備されてもよい。しかし、発煙状況に遭遇した場合には、バイザユニット５６も装備される。
【００２０】
特に、動力およびコントロールアセンブリ５８は、概してマスクコントローラ１４８およびバイザコントローラ１４９、各々マスクユニット５４およびバイザユニット５６用の独立したドライバ１５０、およびガス伝達アセンブリ１５２を含む。図４５および４８を参照すると、コントローラ１４８、１４９は、実質的に同一であり、各々アウトプットライン１５８ａ、１６０ａおよび排気ライン１６１と接続し、インプットライン１５８、１６０を介して加圧酸素源１５６と接続する空気駆動の弁１５４を含む。弁１５４は、起動ボタン８０または８２を押すことで動作可能であり、またはコントローラ１４８の場合には感圧式のアネロイド１６２の動作により、コントローラ１４９の場合にはソレノイド／煙検知器１６３の動作により、自動的に動作されてもよい。理解されるように、弁の動作は、マスクまたはバイザユニットの上昇用または下降用の駆動機構に加圧ガスを導き、かつ各場合に対応する排気へと導く。図２１を参照すると、アウトプットライン１５８ａ、１６０ａは、マスクユニット５４用のドライバ１５０と接続されていることが理解される。同一のオペレータ（図示していない）が、バイザユニット５６の動作用に与えられている。この例では、駆動機構１５０は、内部ピストン１６６およびラック１７０を備えた、外側に突出したピストンロッド１６８を有する空気駆動の複動ピストンおよびシリンダアセンブリ１６４を含む。包括的な駆動機構は、各々Ｕ字状のマスク本体９８のアーム１００および可動式のマウンティングストラップ９６と結合された１対の歯車１７２、１７４を含む。図示するように、これらの歯車は、ラック１７０とかみ合っている。
【００２１】
ライン１６０を介した加圧ガスの移動およびライン１６１を介した排気により誘導されるピストン１６６の移動によってロッド１６６が伸張されて、それにより歯車１７２、１７４が回転して、同時にマスクユニット５４およびストラップ９６が、例えば図５に示されたその装備された位置に移動されることが好ましい。同様のラックおよび歯車駆動機構が、バイザユニット５６をその収縮された位置と、装備された位置との間で選択的に移動させるために使用されている。
【００２２】
ガス伝達アセンブリ１５２もまた、イアピース６２内に収納されており、タンクの形で加圧酸素源１５６を含んだブロック１７６、レギュレータ１７８、弁１８０の通路１８２、１８４、１８５およびアウトレット１８６、１８８を含む。図１６を参照すると、通路１８５は、酸素源１５６およびレギュレータ１７８の間を延びており、一方、通路１８２はレギュレータのアウトプットからアウトレット１８６へと延びている。通路１８４は、酸素源１５６から弁１８０を通過して延びており、アウトレット１８８で終端を成す。弁１８０は、開口部１９０内で受けられる外側に突出したアーム１９０と、ベース１９４と、を含む。コイルばね１９６は、図１６に示すように、弁を外側に動かすように作用する。
【００２３】
アーム１００がその下げられた位置にある際、すなわち、マスクユニット５４がその装備された位置に移動すると、アームの呼吸用ガスの通路１１２は、アウトレット１８６と連絡する。同様に、膨張用のコンジット１１４は、アウトレット１８８と連絡する。最後に、アーム１００の移動は、弁アーム１９０をばね１９６のバイアスに抗して押し下げ、図１６に示すように弁を開放させる。これにより、加圧酸素が膨張用のコンジット１１４およびアウトレット１１５を通過し、柔軟性を有するマスク本体１２４を膨張させる。また、好適な呼吸用ガス（例えば、セレクタノブ７８の位置によって誘導される純酸素または空気と酸素の混合ガス）が、通路１１２を介してマスクのアウトレット１１３へと伝達可能である。
【００２４】
図８のバイザデザインが使用される場合、すなわち、バイザ本体１３６の内側面に沿ったエアアウトレット開口部１４４を有するバイザが使用される場合、図２７に示すように、イアピース６２はブロック１９８を含む。ブロック１９８は、前記したブロック１７６の全てのコンポーネント（共通のコンポーネントは同一の参照数字で識別される）と、酸素源１５６から延び、アウトレット開口部２０２で終端をなすコンジット２００を含む。バイザ本体のコンジット１４２は、アウトレットの通路１４４と連絡して、該本体１３６の長手方向に延びており、インレットの開口部２０４を与える。バイザが下げられた際、開口部２０２、２０４は、バイザへの加圧酸素の通路と連絡する。図２７には示されていないが、コンジット２００は、図１６のコンジット１８８のように、弁１８０による弁調節であってもよい。
【００２５】
この実施形態の動作は、以下のように進行する。最初に、使用者は、図２に示すように、ヘッドセットを装着する。この場合に、マスクユニット５４およびバイザユニット５６は、使用者の頭頂部上方のその収縮された位置にある。マイクロフォン８６は、連絡目的のため、図示するように、装備されていてもよい。
【００２６】
フライトデッキ緊急事態の際には、マスクユニット５４およびストラップアセンブリ６６が装備される。これは、減圧事象の際に、アネロイド１６２がこれを検出することにより自動的に行われる。または、使用者が緊急事態であると認識した場合、起動ボタン８２を押してこの状態にしてもよい。いずれの場合においても、柔軟性を有するマスク１２４を保持するＵ字状のマスク本体９８は、図５または図１１の位置に達するまで、下方向に移動される。これは、酸素源１５６からアウトプットライン１６０ａへと加圧酸素を誘導するための弁１５４の起動を伴う。続いて、ピストン１６６およびロッド１６８を移動するように作用し、インターメッシュされた歯車１７２、１７４を回転させて、それにより本体９８を下方向に移動させる。また、可動式ストラップ９６を図９〜１０に示すその装備された位置に移動させる。アーム１００は下方に移動すると、弁アーム１９０の上端部とぶつかり、ばね１９６のバイアスに抗して該上端部を移動させて、弁を開放させる。これにより、膨張用のコンジット１１４と連絡する流れが形成されて、それによりマスク本体１２４の膨張が開始される。マスク本体１２４の膨張は、マスク本体の外側部分が使用者の顔とかみ合った図１４の位置になるまで継続する。マスク本体１２４の膨張が遮断された際、またはハングアップした際、使用者はスライドラグ１２０、１２２をつまんで、手動でこれを後方に引いて、マスク１２４の装備を完了してもよい。
【００２７】
通路１１２を通過する呼吸用ガスの流れは、開口部１１３を通過して膨張されたマスクへと進入し、使用者に呼吸用のガスを供給する。この関係において、呼吸用ガスの流れは、設計者の選択により、継続的であってもよく、または要求ベースであってもよい。排気時（図１４）、ダイヤフラム１３２は、ガスが開口部１３０を通過して、排気スロット１０６外へと排出されるように移動する。
【００２８】
緊急事態時に、バイザユニット５６の使用が必要な場合、起動ボタン８２を押してもよく、ソレノイド／煙検知器１６３によって弁１５４を自動的に動作させてもよい。いずれの場合であっても、バイザドライバ１５０は、バイザユニット全体を下げるために起動される。具体的には、加圧酸素がバイザコントローラ弁のライン１６０ａを通過して誘導され、バイザドライバ機構のピストン１６６を移動させて、それによりバイザユニットを、図１０に示す位置へと回転させる。前記したように、バイザ本体１３６は、ピボットピン２０６により、イアピース６２、６４と回転可能に結合されている（図２７）。
【００２９】
図８の実施形態を実施した場合、関連するガスブロック１９８およびガス通路１４４を用いて、加圧酸素がコンジット２００を通過してコンジット１４２へと伝達される。その結果として、通常は水平方向に誘導される空気の流れが形成される。該空気の流れは、使用者の額の方向に広がり、かつ該額に衝突する。そのようなガスの比較的低圧の流れは、バイザユニット５６への煙の進入を効果的に妨げる。
【００３０】
緊急事態が過ぎ去った後、使用者はマスクユニット５４およびバイザユニット５６の動作を反転させて、バイザユニット５６をその収縮された位置へと戻してもよい。まず始めに、起動ボタン８２を使用して、バイザコントロール弁１５４を移動させて（１６０ａから１６０へ、１５８ａから１５８へ）、バイザドライバ機構１５０のピストン１６６の動きを反転させる。それにより、バイザユニットはその収縮された位置へと上方向に回転する。次に、ボタン８０が押すと、マスク本体が減圧されて、その収縮された状態となる。そして、ユニットドライバ機構１５０は、マスクユニット５４およびヘッドマウンティングアセンブリ５２のストラップアセンブリ６６を動きを反転させるために起動される。
【００３１】
本発明の原理は、様々な異なる種類のマスクおよびバイザユニットヘッドセットに使用してもよい。例えば、図１７〜１９に注意を向けると、ヘッドマウンティングアセンブリの具体例２１０、２１２、２１４が示されている。図１７では、ヘッドマウンティングアセンブリ２１０は、イアピースに固定された、実質的に直交する１組の固定式ストラップ２１６、２１８を含む。そのようなストラップは、異なる頭の大きさに応じて調節可能であってもよく、または固定式であってもよいと理解される。
【００３２】
図１８では、アセンブリ２１２の一部として頭蓋キャップ２２０が使用されている。ここでまた、キャップ２２０は固定式であり、イアピース２２０に固定されている。図示するように、キャップは、快適性のために２２２の位置に通気孔が設けられていてもよい。図１９では、アセンブリ２１４は、１組の固定式ストラップ２２４、２２６を含む。ストラップ２２６は、使用者の後頭部の周囲を通過する。一方、ストラップ２２４はストラップ２２６に対して斜めに上方へと延びており、暈型のマウンティングアセンブリを定義する。ここでまた、ストラップ２２２、２２４は固定式であり、イアピース２２２、２２４に固定されている。
【００３３】
図２２〜２６は、他の種類の動力およびコントロールアセンブリ２２８、２３０、２３２を示す。図２２および２３では、アセンブリ２２８は、ドライブアセンブリ２３６と前記したコントローラ１４８を含む。ドライブアセンブリ２３６は、ピストンアンドシリンダアセンブリ２４６を含み、該ピストンアンドシリンダアセンブリ２４６は、シリンダ２４８、ピストン２５０および外側に延びるピストンロッド２５２を含む。ロッド２５２は、最外部に溝が切られた環状ヘッド２５４を備えている。図示するように、細長いタイエレメント２５６は、アーム１００およびストラップ９６の回転可能に結合された内側端部に固定されている。各例において、タイエレメントの端部は、ピボットピン１１０のような関連するピボット接続の周囲に、ねじりばねを用いて固定されている。さらに、ヘッド２５４は、その端部の中間、すなわちアーム１００およびストラップ９６の間でタイエレメント２５６とかみ合っている。図２２は、その収縮された位置にある装置を示しており、該収縮された位置ではマスクユニットがその上方の位置にある。一方、図２３では、マスクを装備した際のコントロールアセンブリ２２８の形状を示している。すなわち、コントローラ１４８は、自動的に、または手動で動作して、加圧酸素ガスをシリンダ２４８に伝達し、それによりピストン２５０およびロッド２５２を上方向に移動させる。そのような動きは、タイエレメント２５６を伸張させて、アーム１００およびストラップ９６を下方向に移動させる。マスクユニットおよびストラップ９６をその収縮された位置に戻す場合は、弁２３８を適切に操作して、シリンダ２４８内の圧力を放出する。この時点で、ねじりばね２５７は、マスクユニットおよびストラップ９６を収縮させるように作用する。
【００３４】
図２４および図２５は、コントローラ（図４５参照）、ドライバアセンブリ２５８を含んだ動力およびコントロールアセンブリ２３０の別の実施形態を示している。該アセンブリ２３０は、回転可能な同軸の４枚のディスク２５９を含んでいる。外側のディスク２５９はアーム１００を保持しており、その次の内側ディスクはストラップ９６を保持している。次のディスクは、単にオペレータであり、その一方で最も内側のディスクは、バイザユニット５６の本体１３６を保持している。各ディスク２５９は、上部および下部の弧状をしたスロット２６０ａ、２６０ｂを含んでおり、図２４および２５に示すように、該スロット２６０ａ、２６０ｂは、隣にあるディスクのスロット２６０ａ’、２６０ｂ’とかみ合って配列されている（マスクユニット５４およびストラップアセンブリ６６のストラップ９６移動用の最も外側のディスク２５９およびその次のディスク２５９が示されている。）。短い通路２６１が、かみ合っているディスクペアのベースから、対応する弧状をした下部開口部２６０ｂ、２６０ｂ’へと延びている。同様に、通路２６２が、このベースから弧状をした上部開口部２６０ａ、２６０ａ’へと延びている。コントローラ１４８からのマスク上昇用のアウトプットライン１５８ａは、通路２６２と接続されており、その一方、マスク下降用のアウトプットライン１６０ａは通路２６１と接続されている。詳細には示していないが、３番目のディスクと最も内側のディスクも、図２４および２５に示したディスクと同様に設計されており、弁コントローラ１４９（図４８）と接続されている。
【００３５】
図２４では、ヘッドセットは、マスクユニットおよびバイザユニットが、その上方の、収縮された位置で示されている。フライトデッキ緊急事態の際、ボタン８０の操作またはアネロイド１６２を介した自動的なコントロールにより、弁１５４は、加圧酸素をアウトプットライン１６０ａに誘導するようにシフトする。これにより、加圧酸素は、隣接する弧状をした下部スロット２６０ｂの端部の間で形成される小室（ｓｍａｌｌ  ｃｈａｍｂｅｒ）２６３へと進入し、ディスクが図２５の位置になるまで、互いに反対方向に回転させる。この位置では、アーム１００はストラップ９６に沿って下げられている。さらに、この動きの結果として、互いにかみ合った状態で隣接している、弧状をした上部スロット２６０ａの間に別の１つの小室２６４が形成される。マスクユニット５４を収縮させる場合、ボタン８０を操作することのみが必要とされ、これにより小室２６４に加圧酸素を伝達するために、弁１５４がシフトして、加圧酸素がライン１５８ａおよび通路２６２に伝達される。これにより、続いて隣接するディスク２５９が互いに反対方向に回転し、ストラップ９６およびアーム１００は、図２４の収縮された位置へと戻される。もちろん、バイザユニット５６の動作も同様であり、コントローラ１４９の弁１５４は、バイザを上昇させるために、加圧酸素をアウトプットライン１６０ａに伝達するように、またはバイザを下降させるために加圧酸素をアウトプットライン１５８ａに伝達するように操作される。
【００３６】
図２６は、さらに別の動力およびコントロールアセンブリ２３２を示す。この例では、アセンブリ２３２は、各々マスクユニット５４およびバイザユニット５６と関連するピボットピン１１０、２０６に取り付けられたステッパーモータ２７０、２７２を含む。さらに、アセンブリ２３２は、ピン１１０および可動式ストラップ９６用のピボットマウントに結合された１組のインターメッシュされた歯車２７４、２７６を含む。電力用のリード７６は、酸素マスクのスイッチ２７８、および２つのリミットスイッチ２８２、２８４と接続されている。該スイッチ２７８は、続いてバイザスイッチ２８０と動作可能に結合されている。また、スイッチ２７８、２８０は、対応するステッパーモータ２７０、２７２と動作可能に結合されている。
【００３７】
動作時において、スイッチ２７８および／または２８０が起動された際（ボタン８０、８２を用いて手動で、またはアネロイドまたは同様のコントローラにより自動的に）、適切な電気信号がステッパーモータ２７０に送られ、アーム１００を下方向に回転させる。また、歯車２７４、２７６を介して、ストラップ９６を下方向に移動させる。アーム１００の上下動は、リミットスイッチにより前記したようにコントロールされる。バイザユニット５６の場合、スイッチ２８０の閉止により、ステッパーモータ２７２が起動して、バイザユニットがその装備された位置へと移動される。もちろん、ステッパーモータ２７０、２７２は、スイッチ２７８、２８０の適切な操作により反転させて、バイザユニット５６およびマスクユニット５４を選択的に収縮させてもよい。
【００３８】
図２７〜２９は、本発明のさらに改善された実施形態を示す。この場合において、マスクユニット５４は、前記したバイザの通路１４４と類似した、下方にある、一連の内側方向に誘導される空気の通路２８６を備えている（図８参照）。さらに、マスクユニットは、通路２８６と連絡する細長いコンジット２８８を有する。図２７に示すように、マスクユニット５４が、下げられた、装備された位置にある際、コンジット２８８は、ブロック１９８に形成された同様のコンジット２９０と連絡される。該コンジット２９０は、加圧酸素源１５６と動作可能に結合されている。そのようにして、図２９に最もよく示されるように、マスクユニットおよびバイザユニットが、その下げられた、装備された位置にある際、通路１４４、２８６から上方の、および下方の空気流２０８、２９２が導かれ、マスクユニットおよびバイザユニット内への煙の侵入が防止される。この実施形態において（図２８）、マスク１２４は、使用者の鼻および口部分を覆うことのみ必要とされ、デバイスへの煙の侵入を防止するために、図１２に示した実施形態における伸張可能な側縁部は必要ではない。
【００３９】
図３０および３１は、バイザユニット５６への煙の侵入を防止するための別の機構が示されている。この場合では、本体１３６の内側面に、伸張可能な、細長いベロー２９３が取り付けられ、与えられている。該ベロー１９３は、開口部２９４を介してコンジット１４２と連絡している。図３１に示すように、ベロー２９３の膨張時、該ベローの内側面が使用者の前頭部でかみ合い、それにより煙の侵入が防止される。
【００４０】
図３２〜３７には、本発明の改善された実施形態が示されている。該実施形態では、マスクユニット５４は、中央部のマスク１２４を有するが、マスク本体の互いに対向する側縁部には１組の柔軟性を有する合成樹脂製の、またはエラストマー製のスカート２９６、２９８が固定されている。さらに、アーム１００、１０２は、各々実質的に平坦なピストンアンドシリンダアセンブリ３００、シリンダ３０２、ピストン３０４および選択的に伸張可能なピストンロッド３０６を装備している。該ロッド３０６は、続いて隣接するスカート２９６または２９８と結合されている。シリンダ３０２の互いに対向する端部から、適当な空気駆動用の通路３０８、３１０が延びており、ブロック１９８内に設けられた適当なコンジット（図示していない）と連絡している。アーム１００に取り付けられるアセンブリ３００は親装置であり、アーム１０２に取り付けられるアセンブリ３００は子装置であることが好ましい。図３６および３７を参照すると、その収縮された位置において、スカート２９６、２９８は、使用者の顔から前方に間隔を開けて配置されている。しかし、図３５に最もよく示されるように、装備された際に、スカートは使用者の頬部分とかみ合うために後方へと移動する。
【００４１】
図３８〜４３は、本発明のさらに別の実施形態を示す。この例では、マスク本体１２４の互いに対向する側に１組のブリストルアセンブリ３１２、３１４が与えられている。該アセンブリ３１２、３１４は、関連するアーム１００、１０２に直近の、図４１に仮想線で示すその収縮された位置から装備された位置へと移動するように設計されている。そのような移動は、図４２および４３に示す機構によって実施される。特に、ブリストルアセンブリは、各々外側に突出するラグ３１８を備えた回転可能なシャフト３１６上に取り付けられている。シャフト３１６の端部は、ピストン３１６と結合されており、ポート３２４、３２６を有する空気駆動のシリンダ３２２内に収納されている。該シリンダは、細長い筒状の延長部分３２８を含み、該延長部分３２８には、螺旋状の溝３３０が形成されている。ポート３２４、３２６は、マスク用の空気駆動システムと動作可能に結合されており、ブリストルアセンブリを装備する際には、加圧酸素がポート３２４に誘導され、これによりシャフト３１６が溝３３０によって定義された弧状の経路に沿って進行する。これによりブラシ部分がその収縮された位置から、作用位置である図４０および４１に示す下げられた位置へと移動する。該位置では、ブリストルの内側端部が、使用者の顔とかみ合う。ブリストルアセンブリを収縮させるためには、単純に前記手順を反転させる。シャフト３１６は反対方向に回転して、関連するブリストルアセンブリを、その収納された位置に移動させる。図４４，４７および図４６，４９は、前記したコントローラ１４８、１４９の代わりに使用可能な他の種類のコントローラを示す。まずはじめに、図４４および４７を参照すると、マスクユニットおよびバイザユニット用のコントローラ３３２、３３４は、前記した弁１５４とともに、酸素インレット１５６、ライン１５８、１６０、アウトレットライン１５８ａ、１６０ａ、および排気ライン１６１を含む。この例において、バルブアセンブリ１５４用の唯一のオペレータは、起動ボタン８０、８２である。すなわち、この実施形態は、コントローラ１４８、１４９の例のような自動的な動作を含まない。
【００４２】
図４６および４８を参照すると、マスクユニットおよびバイザユニット用のコントローラ３３６、３３８は、音声起動のオペレータ３４０を用いた自動的なコントロールが与えられていること以外は、アセンブリ３３２、３３４と同一である。すなわち、弁アセンブリ１５４の起動は、ボタン８０、８２の操作により手動で実施してもよく、アネロイド１６２、ソレノイド／煙検知器１６３により実施してもよく、または使用者が、“マスク降下”または“バイザ下降”のような適切なコマンドを発声することにより実施されてもよい。他の全ての点において、これらのコントローラの動作は、図４５および４８との関連で説明したのと同一である。
【図面の簡単な説明】
【００４３】
【図１】図１は、個別に装備可能なマスクユニットおよびバイザユニットを含んだ本発明のヘッドセットの透視図である。
【図２】図２は、使用者の頭部に取り付けられた図１のヘッドセットを示した透視図である。
【図３】図３は、図１のヘッドセットの前透視図であり、マスクユニットおよびバイザユニットがその装備された状態で示されている。
【図４】図４は、使用者の頭上にある図１のヘッドセットの側面破断図であり、マウンティングアセンブリがその当初の、収縮された位置で示されている。
【図５】図５は、図４と同様の図であるが、マウンティングアセンブリが完全に装備されているが、マスクユニットが使用者の鼻および口部分の辺りに取り付ける前のその下げられた位置で示されている。
【図６】図６は、図５と同様の図であるが、マスクユニットが完全に装備されており、使用者の顔に密着してかみ合った状態で示されている。
【図７】図７は、図６と同様の図であるが、追加のバイザユニットが、その下げられた、マスクユニット直上の完全に装備された位置で示されている。
【図８】図８は、バイザユニットの拡大破断図であり、バイザユニットを装備した際に、該バイザユニットへの煙の侵入を防止するための空気流の使用を示している。
【図９】図９は、図５と同様の側面図であるが、ヘッドセットの反対側を示している。
【図１０】図１０は、図７と同様の側面図であるが、マスクユニットおよびバイザユニットがその下げられた、装備された位置にあるヘッドセットの反対側が示されている。
【図１１】図１１は、図１のヘッドセットの平面図であり、図５に示すようにマスクユニットが下げられているが、完全には装備されていない状態で示されている。
【図１２】図１２は、図１１と同様の図であるが、マスクユニットがその伸張された、顔と密着した位置で示されている。
【図１３】図１３は、図１１の線１３−１３に沿って切断した縦断面図であり、マスクベローの形状、該ベローを膨張させるためのガスの流路および使用者への呼吸用のガスの流路を詳細に示している。
【図１４】図１４は、図１２の線１２−１２に沿って切断した縦断面図であり、ベローが伸張された、顔と密着した位置で示されており、また放出時のマスクの動作を示している。
【図１５】図１５は、図１２の線１５−１５に沿って切断した縦断面図であり、膨張用のガス通路および呼吸用のガス通路の形状を示している。
【図１６】図１６は、図１２の線１６−１６に沿って切断した縦断面図であり、図１のヘッドセット用の動力およびコントロールアセンブリの空気駆動部分の形状を示している。
【図１７】図１７は、マウンティングアセンブリが直交する固定式ヘッドストラップを含んだ本発明のヘッドセットの別の実施形態の側面図であり、マスクユニットおよびバイザユニットが装備された状態で示されている。
【図１８】図１８は、マウンティングアセンブリが、固定式頭蓋キャップメンバを含んだ本発明のヘッドセットの別の実施形態の側面図であり、マスクユニットおよびバイザユニットが装備された状態で示されている。
【図１９】図１９は、マウンティングアセンブリが、暈形状をした固定式ヘッドストラップを含んだ本発明のヘッドセットの別の実施形態の側面図であり、マスクユニットおよびバイザユニットが装備された状態で示されている。
【図２０】図２０は、本発明のヘッドセットの一部を形成する好ましい動力およびコントロールアセンブリのコンポーネントの相互関係を示した囲み図である。
【図２１】図２１は、マウンティングアセンブリおよびマスクを装備させる、または収縮させるために使用される駆動機構の１実施形態を示した部分破断図である。
【図２２】図２２は、マウンティングアセンブリおよびマスクを装備させる、または収縮させるために使用される駆動機構の別の１実施形態を示した部分破断図である。
【図２３】図２２と同様の図であるが、駆動アセンブリがマウンティングアセンブリおよびマスクユニットを装備した際の伸張された位置で示されている。
【図２４】本発明のヘッドセットのマウンティングアセンブリ、マスクユニットおよび／またはバイザユニットを装備させる、または収縮させるために使用される駆動機構の別の１実施形態を示す部分破断図である。
【図２５】図２４と同様の図であるが、駆動アセンブリがマウンティングアセンブリおよびマスクを装備した際のその伸張された位置で示されている。
【図２６】本発明のヘッドセットのマウンティングアセンブリ、マスクユニットおよび／またはバイザユニットを装備させる、または収縮させるために使用される駆動機構の別の１実施形態を示す部分破断図である。
【図２７】図２７は、完全に装備された状態の図１のヘッドセットの部分縦断面図であり、ヘッドセットへの煙の侵入を防止するためのエアカーテンアセンブリの使用とともに、マスク膨張用のガス通路および呼吸用のガス通路を示している。
【図２８】図２８は、図２７に示すヘッドセットの上面破断図である。
【図２９】図２９は、図２７の線２９−２９に沿って切断した縦断面図であり、エアカーテンアセンブリの動作を示している。
【図３０】顔に密着させるために膨張可能なベローを使用する、本発明の改良されたバイザーユニットの拡大縦断面図である。
【図３１】図３０と同様の図であるが、ベローがその膨張された状態で示されている。
【図３２】マスクを使用者の顔に手動で装備するための手動スライダカーテン機構を含んだ、本発明のヘッドセットの別の１実施形態の側面図である。
【図３３】図３３は、図３２に示す装置の上面破断図である。
【図３４】図３４は、図３２と同様の図であるが、カーテン機構が、その装備された、顔にかみ合った位置で示されている。
【図３５】図３５は、図３４に示す装置の上面破断図である。
【図３６】図３６は、図３２〜図３５のカーテン機構の構成を、その収縮された位置で示した拡大破断図である。
【図３７】図３７は、図３６と同様の図であるが、カーテン部分が除去されており、カーテン機構がその装備された位置で示されている。
【図３８】図３８は、ブラシタイプの顔への密着ユニットを有するマスクユニットを用いた本発明のヘッドセットの側面破断図である。
【図３９】図３９は、図３８に示すヘッドセットの上面破断図である。
【図４０】図４０は、図３８の線４０−４０に沿って切断した断面図であり、マスクおよびブラシユニットが完全に装備された状態で示されている。
【図４１】図４１は、図３８の線４１−４１に沿って切断した断面図であり、ブラシユニットと、使用者の顔とのかみ合いを示している。
【図４２】図４２は、図４１の線４２−４２に沿って切断した断面図であり、ブラシユニットと関連するオペレータを示している。
【図４３】図４３は、図４２と同様の図であるが、マスクユニットが収縮された状態におけるオペレータが示されている。
【図４４】図４４は、手動の弁オペレータで、マスクユニットを選択的に装備させる、または収縮させるのに使用される空気駆動のコントローラの１種の説明図である。
【図４５】図４５は、手動の、または自動的な（アネロイド）弁オペレータで、マスクユニットを選択的に装備させる、または収縮させるのに使用される空気駆動のコントローラの１種の説明図である。
【図４６】図４６は、手動の、または自動的な（アネロイド）弁オペレータ、若しくは音声起動のオペレータで、マスクユニットを選択的に装備させる、または収縮させるのに使用される空気駆動のコントローラの１種の説明図である。
【図４７】図４７は、手動の弁オペレータで、バイザユニットを選択的に装備させる、または収縮させるのに使用される空気駆動のコントローラの１種の説明図である。
【図４８】図４８は、手動の、また自動的な（煙検知器）弁オペレータで、バイザーユニットを選択的に装備させる、または収縮させるのに使用される空気駆動のコントローラの１種の説明図である。
【図４９】図４９は、手動の、または自動的な（アネロイド）弁オペレータ、若しくは音声起動のオペレータで、バイザユニットを選択的に装備させる、または収縮させるのに使用される空気駆動のコントローラの１種の説明図である。
【図１】
2005510262.tif 000003
【図２】
2005510262.tif 000004
【図３】
2005510262.tif 000005
【図４】
2005510262.tif 000006
【図５】
2005510262.tif 000007
【図６】
2005510262.tif 000008
【図７】
2005510262.tif 000009
【図８】
2005510262.tif 000010
【図９】
2005510262.tif 000011
【図１０】
2005510262.tif 000012
【図１１】
2005510262.tif 000013
【図１２】
2005510262.tif 000014
【図１３】
2005510262.tif 000015
【図１４】
2005510262.tif 000016
【図１５】
2005510262.tif 000017
【図１６】
2005510262.tif 000018
【図１７】
2005510262.tif 000019
【図１８】
2005510262.tif 000020
【図１９】
2005510262.tif 000021
【図２０】
2005510262.tif 000022
【図２１】
2005510262.tif 000023
【図２２】
2005510262.tif 000024
【図２３】
2005510262.tif 000025
【図２４】
2005510262.tif 000026
【図２５】
2005510262.tif 000027
【図２６】
2005510262.tif 000028
【図３０】
2005510262.tif 000029
【図３１】
2005510262.tif 000030
【図２７】
2005510262.tif 000031
【図２８】
2005510262.tif 000032
【図２９】
2005510262.tif 000033
【図３２】
2005510262.tif 000034
【図３３】
2005510262.tif 000035
【図３４】
2005510262.tif 000036
【図３５】
2005510262.tif 000037
【図３６】
2005510262.tif 000038
【図３７】
2005510262.tif 000039
【図３８】
2005510262.tif 000040
【図３９】
2005510262.tif 000041
【図４０】
2005510262.tif 000042
【図４１】
2005510262.tif 000043
【図４２】
2005510262.tif 000044
【図４３】
2005510262.tif 000045
【図４４】
2005510262.tif 000046
【図４５】
2005510262.tif 000047
【図４６】
2005510262.tif 000048
【図４７】
2005510262.tif 000049
【図４８】
2005510262.tif 000050
【図４９】
2005510262.tif 000051
【手続補正書】
【提出日】平成15年11月18日(2003.11.18)
【手続補正１】
【補正対象書類名】特許請求の範囲
【補正対象項目名】全文
【補正方法】変更
【補正の内容】
【特許請求の範囲】
【請求項１】
使用者の頭部に装着されるように設計されたマウンティングアセンブリと、
前記マウンティングアセンブリにより保持されており、少なくとも前記使用者の鼻および口部分を覆うように設計されたマスク本体を含み、前記マスク本体が前記使用者の頭頂部の近くにある収縮された位置と、前記マスク本体が前記鼻および口部分の近くにある装備された位置と、の間で移動可能なマスクユニットと、
使用者により前記マスクユニットを手動で並進移動することなしに、前記マスクユニットを、前記収縮された位置と、前記装備された位置と、の間で自動的に並進移動させるための、前記マスクユニットと動作可能に結合された動力およびコントロールアセンブリよりなり、
前記マスクユニットは、前記マスク本体が前記装備された位置にある時に、該マスク本体に呼吸用のガスを供給するよう動作可能なガス通路を含むヘッドセット。
【請求項２】
前記マウンティングアセンブリは、対向させて配置された１組のイアピースと、
前記イアピースに固定されており、前記使用者の頭頂部上を通過するように設計された細長い弧状をした固定式ストラップと、を含む請求項１に記載のヘッドセット。
【請求項３】
前記マウンティングアセンブリは、前記固定式ストラップに近い収縮された位置と、前記使用者の後頭部の周囲を通過する装備された位置と、の間で移動可能な弧状をした可動式ストラップを含む請求項２に記載のヘッドセット。
【請求項４】
前記マウンティングアセンブリは、対向させて配置された１組のイアピースを含み、前記イアピースは、該イアピースに固定された１組の弧状をした固定式ストラップを有し、該固定式ストラップの一方は、前記使用者の頭頂部上を延び、他方は、前記使用者の後頭部の周囲を延びる請求項１に記載のヘッドセット。
【請求項５】
前記マウンティングアセンブリは、対向させて配置された１組のイアピースを含み、前記イアピースは、該イアピースに固定されており、前記使用者の後頭部上を延びるように設計された弧状をした頭蓋キャップ体を含む請求項１に記載のヘッドセット。
【請求項６】
前記マウンティングアセンブリは、対向させて配置された１組のイアピースを含み、前記イアピースは、該イアピースに固定された１組の弧状をした固定式ストラップを含み、前記ストラップの一方は、前記使用者の後頭部の周囲を延び、他方は、該一方のストラップに対してある角度で前記イアピースから上方に延びる請求項１に記載のヘッドセット。
【請求項７】
前記マウンティングアセンブリに保持されており、前記使用者の頭頂部に近い収縮された位置と、前記使用者の眼を覆う装備された位置と、の間で移動可能なバイザユニットを含む請求項１に記載のヘッドセット。
【請求項８】
前記バイザユニットは、前記装備された位置では、前記マスク本体の直上に配置される請求項７に記載のヘッドセット。
【請求項９】
前記バイザは、上縁部を含み、該上縁部の近くに前記バイザに煙が侵入するのを防止するためのデバイスを有する請求項７に記載のヘッドセット。
【請求項１０】
前記デバイスは、前記上縁部に沿った一連のガスアウトレット開口部と、前記アウトレット開口部に加圧ガスを伝達するためのコンジットと、を有する請求項９に記載のヘッドセット。
【請求項１１】
前記デバイスは、膨張された状態では前記使用者の額とかみ合う、選択的に膨張可能なベローを含む請求項９に記載のヘッドセット。
【請求項１２】
前記マスクユニットは、前記収縮された位置にある時には収縮された形状を有し、
前記装備された位置に移動した際には、該マスクユニットは顔とかみ合う位置に移動可能である請求項１に記載のヘッドセット。
【請求項１３】
前記マスク本体は、膨張可能なベローを含み、該マスク本体が前記装備された位置にある時には、前記ベローを選択的に膨張するための、前記ベローと動作可能に結合された加圧ガスのコンジットを有する請求項１２に記載のヘッドセット。
【請求項１４】
前記マスク本体の互いに対向する側に配置されており、煙の侵入を防止するように動作可能なシーリング構造を有する請求項１に記載のヘッドセット。
【請求項１５】
前記シーリング構造は、前記マスク本体の互いに対向する側に固定された柔軟性を有するスカート部分と、該スカート部分を移動させて前記使用者の顔にかみ合わせるための、該スカート部分と結合されたオペレータよりなる請求項１４に記載のヘッドセット。
【請求項１６】
前記シーリング構造は、前記マスク本体の互いに対向する側にある１組のブラシ部分と、前記ブラシ部分を移動させて前記使用者の顔にかみ合わせるための、該ブラシ部分と結合されたオペレータよりなる請求項１４に記載のヘッドセット。
【請求項１７】
前記マスクユニットは、マスク本体を保持する、弧状をした、回転可能に取り付けられたアームを含み、前記シーリング構造は、前記アームの長手に沿った一連のガスアウトレット開口部と、前記ガスアウトレット開口部に加圧ガスを伝達するための、該開口部と連絡する加圧ガスのコンジットと、を含む請求項１４に記載のヘッドセット。
【請求項１８】
前記動力およびコントロールアセンブリは、前記マスクユニットを前記収縮された位置と、前記装備された位置と、の間で選択的に自動的に移動させるために、該マスクユニットと動作可能に結合されている請求項１に記載のヘッドセット。
【請求項１９】
前記動力およびコントロールアセンブリは、コントローラおよびドライバを含み、前記ドライバは、前記マスクユニットと動作可能に結合されている請求項１８に記載のヘッドセット。
【請求項２０】
前記ドライバは、可動式ラックと、前記マスクユニットと結合されるかみ合い歯車を含み、前記コントローラは、前記ラックを選択的に移動させるための空気駆動の弁ユニットを含む請求項１９に記載のヘッドセット。
【請求項２１】
前記ラックは、空気駆動のシリンダと動作可能に結合されており、前記空気駆動の弁ユニットは、該シリンダと結合されている請求項２０に記載のヘッドセット。
【請求項２２】
前記ドライバは、ピストンアンドシリンダアセンブリを含み、前記アセンブリのロッドは、前記マスクユニットと接続された細長いタイエレメントと結合されており、前記コントローラは、前記ピストンアンドシリンダアセンブリと結合された空気駆動の弁アセンブリを含む請求項１８に記載のヘッドセット。
【請求項２３】
前記ドライバは、協働して空気駆動のチャンバを定義する、相対的に移動可能な１組のスロット付ディスクを含み、前記コントローラは、前記チャンバと結合された空気駆動の弁アセンブリを含み、前記チャンバに圧力を加えた際には、前記ディスクのうち少なくとも一方は他のディスクに対して相対移動する請求項１８に記載のヘッドセット。
【請求項２４】
前記ドライバは、１組のインターメッシュされた歯車、電動モータおよび前記電動モータを選択的に動作させるための電気回路を含み、前記歯車の１つは、前記マスクユニットと結合されており、前記電動モータは、前記１つの歯車と結合されている請求項１８に記載のヘッドセット。
【請求項２５】
前記コントローラは、空気駆動の弁アセンブリを含み、前記弁アセンブリは、手動で動作可能である請求項１８に記載のヘッドセット。
【請求項２６】
前記弁アセンブリは、該弁アセンブリを自動的に動作させるためのオーバーライドを含む請求項２５に記載のヘッドセット。
【請求項２７】
前記オーバーライドは、アネロイドを含む請求項２６に記載のヘッドセット。
【請求項２８】
前記オーバーライドは、音声で起動されるオペレータを含む請求項２６に記載のヘッドセット。
【請求項２９】
使用者の頭部に装着されるように設計されたマウンティングアセンブリと、
前記マウンティングアセンブリにより保持されており、前記使用者の眼を覆うように設計されたバイザを含み、前記使用者の頭頂部に近い収縮された位置と、前記使用者の眼を覆う装備された位置と、の間で移動可能なバイザユニットと、
使用者により前記マスクユニットを手動で並進移動することなしに、前記マスクユニットを、前記収縮された位置と、前記装備された位置と、の間で自動的に並進移動させるための、前記マスクユニットと動作可能に結合された動力およびコントロールアセンブリよりなるヘッドセット。
【請求項３０】
前記マウンティングアセンブリは、対向させて配置された１組のイアピースを含み、前記イアピースは、該イアピースに固定されており、前記使用者の頭頂部上を通過するように設計された弧状をした固定式ストラップを有する請求項２９に記載のヘッドセット。
【請求項３１】
前記マウンティングアセンブリは、前記固定式ストラップに近い収縮された位置と、前記使用者の後頭部の周囲を通過する装備された位置と、の間で移動可能な弧状をした可動式ストラップを含む請求項３０に記載のヘッドセット。
【請求項３２】
前記マウンティングアセンブリは、対向させて配置された１組のイアピースを含み、前記イアピースは、該イアピースに固定された１組の弧状をした固定式ストラップを有し、該固定式ストラップの一方は、前記使用者の頭頂部上を延び、他方は、前記使用者の後頭部の周囲を延びる請求項２９に記載のヘッドセット。
【請求項３３】
前記マウンティングアセンブリは、対向させて配置された１組のイアピースを含み、前記イアピースは、該イアピースに固定されており、前記使用者の頭部の後頭部上を延びるように設計された弧状をした頭蓋キャップ体を有する請求項２９に記載のヘッドセット。
【請求項３４】
前記マウンティングアセンブリは、対向させて配置された１組のイアピースを含み、前記イアピースは、該イアピースに固定された１組の弧状をした固定式ストラップを有し、該固定式ストラップのうち一方は、前記使用者の後頭部の周囲を延び、他方は、前記１つのストラップに対してある角度で前記イアピースから上方に延びる請求項２９に記載のヘッドセット。
【請求項３５】
前記バイザは、上縁部を含み、該上縁部の近くには前記バイザに煙が侵入するのを防止するためのデバイスを有する請求項２９に記載のヘッドセット。
【請求項３６】
前記デバイスは、前記上縁部に沿った一連のガスアウトレット開口部と、前記アウトレット開口部に加圧ガスを伝達するためのコンジットと、を有する請求項３５に記載のヘッドセット。
【請求項３７】
前記デバイスは、膨張された状態では前記使用者の額とかみ合う、膨張可能なベローを含む請求項３５に記載のヘッドセット。
【請求項３８】
前記動力およびコントロールアセンブリは、コントローラおよびドライバを含み、前記ドライバは、前記マスクユニットと動作可能に結合されている請求項２９に記載のヘッドセット。
【請求項３９】
前記ドライバは、可動式ラックと、前記マスクユニットと結合されたかみ合い歯車と、を含み、前記コントローラは、前記ラックを選択的に移動するための空気駆動の弁ユニットを含む請求項３８に記載のヘッドセット。
【請求項４０】
前記ラックは、空気駆動のシリンダと動作可能に結合されており、前記空気駆動の弁ユニットは、該シリンダと結合されている請求項３９に記載のヘッドセット。
【請求項４１】
前記ドライバは、ピストンアンドシリンダアセンブリを含み、前記アセンブリのロッドは、前記マスクユニットと接続された細長いタイエレメントと結合されており、前記コントローラは、前記ピストンアンドシリンダアセンブリと結合された空気駆動の弁アセンブリを含む請求項３８に記載のヘッドセット。
【請求項４２】
前記ドライバは、協働して空気チャンバを定義する、相対的に移動可能な１組のスロット付ディスクを含み、前記コントローラは、前記チャンバと結合された空気駆動の弁アセンブリを含み、前記チャンバに圧力を加えた際には、前記ディスクのうち少なくとも一方は他のディスクに対して相対移動する請求項３８に記載のヘッドセット。
【請求項４３】
前記ドライバは、１組のインターメッシュされた歯車、電動モータおよび前記電動モータを選択的に動作させるための電気回路を含み、前記歯車の１つは、前記マスクユニットと結合されており、前記電動モータは、前記１つの歯車と結合されている請求項３８に記載のヘッドセット。
【請求項４４】
前記コントローラは、空気駆動の弁アセンブリを含み、前記弁アセンブリは、手動で動作可能である請求項３８に記載のヘッドセット。
【請求項４５】
前記弁アセンブリは、該弁アセンブリを自動的に動作させるためのオーバーライドを含む請求項４４に記載のヘッドセット。
【請求項４６】
前記オーバーライドは、アネロイドを含む請求項４５に記載のヘッドセット。
【請求項４７】
前記オーバーライドは、音声で起動されるオペレータを含む請求項４４に記載のヘッドセット。
【請求項４８】
少なくとも使用者の鼻および口部分を覆うように設計されたマスク本体を含むマスクユニットと、
前記マスクユニットを前記使用者の頭部に装着するための手段と、
使用者により前記マスクユニットを手動で並進移動することなしに、前記マスクユニットを前記マスク本体が前記使用者の頭頂部の近くにある収縮された位置と、前記マスク本体が前記鼻および口部分の近くにある装備された位置と、の間で自動的に並進移動させるための手段よりなり、
前記マスクユニットは、前記マスク本体が前記装備された位置にある時に該マスク本体に呼吸用のガスを供給するように動作可能なガス通路を含むヘッドセット。
【請求項４９】
前記装着するための手段は、固定式ストラップと、弧状をした可動式ストラップと、を含み、
前記可動式ストラップは、前記固定式ストラップに近い収縮された位置と、前記使用者の後頭部の周囲を通過する装備された位置との間で移動可能な請求項４８に記載のヘッドセット。
【請求項５０】
前記装着するための手段は、対向させて配置された１組のイアピースを含み、
前記イアピースは、該イアピースに固定された１組の弧状をした固定式ストラップを有し、
前記固定式ストラップのうち一方は、前記使用者の頭頂部上を延び、他方は、前記使用者の後頭部の周囲を延びる請求項４８に記載のヘッドセット。
【請求項５１】
前記装着するための手段は、対向させて配置された１組のイアピースを含み、前記イアピースは、該イアピースに固定され、前記使用者の後頭部上を延びるように設計された弧状をした頭蓋キャップ体を含む請求項４８に記載のヘッドセット。
【請求項５２】
前記装着するための手段は、対向させて配置された１組のイアピースを含み、前記イアピースは、該イアピースに固定された１組の弧状をした固定式ストラップを含み、前記固定式ストラップのうち一方は、前記使用者の後頭部の周囲を延びており、他方は、該一方のストラップに対してある角度で前記イアピースから上方に延びる請求項４８に記載のヘッドセット。
【請求項５３】
前記装着するための手段により保持されており、前記使用者の頭頂部に近い収縮された位置と、前記使用者の眼を覆う装備された位置と、の間で移動可能なバイザ手段を含む請求項４８に記載のヘッドセット。
【請求項５４】
前記バイザ手段は、前記装備された位置では前記マスク本体の直上に配置される請求項５３に記載のヘッドセット。
【請求項５５】
前記バイザ手段は、上縁部を含み、該上縁部の近くには前記バイザに煙が侵入するのを防止するための手段を有する請求項５３に記載のヘッドセット。
【請求項５６】
前記バイザに煙が侵入するのを防止するための手段は、前記上縁部に沿った一連のガスアウトレット開口部と、前記アウトレット開口部に加圧ガスを伝達するコンジットよりなる請求項５５に記載のヘッドセット。
【請求項５７】
前記煙が侵入するのを防止するための手段は、膨張された状態では前記使用者の額とかみ合う、選択的に膨張可能なベローを含む請求項５５に記載のヘッドセット。
【請求項５８】
前記マスクユニットは、前記収縮された位置にある時には収縮された形状を有し、
前記装備された位置に移動した際には、該マスクユニットは顔とかみ合う位置に移動可能な請求項４８に記載のヘッドセット。
【請求項５９】
前記マスク本体は、膨張可能なベローを含み、該マスク本体が前記装備された位置にある時に前記ベローを選択的に膨張するための、前記ベローと動作可能に結合される加圧ガスのコンジットを有する請求項５８に記載のヘッドセット。
【請求項６０】
前記マスク本体の互いに対向する側に配置されており、煙の侵入を防止するように動作可能なシーリング手段を有する請求項４８に記載のヘッドセット。
【請求項６１】
前記シーリング手段は、前記マスク本体の互いに対向する側に固定された、柔軟性を有するスカート部分と、前記スカート部分を移動させて前記使用者の顔とかみ合わせるための、該スカート部分と結合されたオペレータと、を有する請求項６０に記載のヘッドセット。
【請求項６２】
前記シーリング手段は、前記マスク本体の互いに対向する側にある１組のブラシ部分と、前記ブラシ部分を移動させて前記使用者の顔にかみ合わせるための、該ブラシ部分と結合されたオペレータと、を含む請求項６０に記載のヘッドセット。
【請求項６３】
前記マスクユニットは、マスク本体を保持する、前記イアピースと回転可能に接続された弧状をしたアームを含み、前記シーリング手段は、前記アームの長手に沿った一連のガスアウトレット開口部と、前記開口部に加圧ガスを伝達するための、該開口部と連絡する加圧ガスのコンジットと、を含む請求項６０に記載のヘッドセット。
【請求項６４】
前記イアピースの一方に保持された動力およびコントロール手段を含み、前記動力およびコントロール手段は、前記マスクユニットを前記収縮された位置と前記装備された位置との間で選択的に移動させるために該マスクユニットと動作可能に結合されている請求項４８に記載のヘッドセット。
【請求項６５】
前記動力およびコントロール手段は、コントローラおよびドライバを含み、前記ドライバは、前記マスクユニットに動作可能に結合されている請求項６４に記載のヘッドセット。
【請求項６６】
前記ドライバは、可動式ラックと、前記マスクユニットと結合されたかみ合い歯車と、を含み、前記コントローラは、前記ラックを選択的に移動するための空気駆動の弁ユニットを含む請求項６５に記載のヘッドセット。
【請求項６７】
前記ラックは、空気駆動のシリンダと動作可能に結合されており、前記空気駆動の弁ユニットは、該シリンダと結合されている請求項６５に記載のヘッドセット。
【請求項６８】
前記ドライバは、ピストンアンドシリンダアセンブリを含み、前記アセンブリのロッドは、前記マスクユニットと接続された細長いタイエレメントと結合されており、前記コントローラは、前記ピストンアンドシリンダアセンブリと結合された空気駆動の弁アセンブリを含む請求項６４に記載のヘッドセット。
【請求項６９】
前記ドライバは、協働して空気駆動のチャンバを定義する相対的に移動可能な１組のスロット付ディスクを含み、前記コントローラは、前記チャンバと結合された空気駆動の弁アセンブリを含み、前記チャンバに圧力を加えた際には、前記ディスクのうち少なくとも一方は他のディスクに対して相対移動する請求項６４に記載ヘッドセット。
【請求項７０】
前記ドライバは、１組のインターメッシュされた歯車、電動モータおよび前記電動モータを選択的に動作させるための電気回路を含み、前記歯車の１つは、前記マスクユニットと結合されており、前記電動モータは、前記１つの歯車を結合されている請求項６４に記載のヘッドセット。
【請求項７１】
前記コントローラは、空気駆動の弁アセンブリを含み、前記弁アセンブリは、手動で動作可能である請求項６４に記載のヘッドセット。
【請求項７２】
前記弁アセンブリは、該弁アセンブリを自動的に動作させるためのオーバーライドを含む請求項７１に記載のヘッドセット。
【請求項７３】
前記オーバーライドは、アネロイドを含む請求項７２に記載のヘッドセット。
【請求項７４】
前記動力およびコントロールアセンブリは、使用者により前記マスクユニットを手動で並進移動することなしに、前記マスクユニットを、前記収縮された位置から前記装備された位置に並進移動させることができる請求項１に記載のヘッドセット。
【請求項７５】
前記動力およびコントロールアセンブリは、使用者により前記マスクユニットを手動で並進移動することなしに、前記マスクユニットを、前記装備された位置から前記収縮された位置に並進移動させることができる請求項２９に記載のヘッドセット。
【請求項７６】
前記マスクユニットを移動させる手段は、使用者により前記マスクユニットを手動で並進移動することなしに、前記マスクユニットを、前記装備された位置から前記収縮された位置に並進移動させることができる請求項４８に記載のヘッドセット。
【請求項７７】
使用者の頭部に装着されるように設計されたマウンティングアセンブリと、
前記マウンティングアセンブリにより保持され、マスク本体、バイザおよびこれらの組み合わせからなる群から選択されるコンポーネントよりなり、前記使用者の頭頂部の近くにある収縮された位置と、前記収縮された位置よりも下方の、前記使用者の顔の近くにある装備された位置と、の間で移動可能なユニットと、
使用者により前記ユニットを手動で並進移動することなしに、前記ユニットを、前記収縮された位置から前記装備された位置に自動的に並進移動させるための、前記ユニットと結合されたドライバと、前記ユニットを移動させるために、ドライバ動作を開始させるための、前記ドライバと結合されたコントローラと、を含む動力およびコントロールアセンブリよりなるヘッドセット。
【請求項７８】
前記マスクユニットは、マスク本体である請求項７７に記載のヘッドセット。
【請求項７９】
前記ドライバは、機械的なドライバを含む請求項７７に記載のヘッドセット。
【請求項８０】
前記コントローラは、空気駆動の弁を含む請求項７７に記載のヘッドセット。
【請求項８１】
前記ドライバは、使用者により前記ユニットを手動で並進移動することなしに、前記ユニットを、前記収縮された位置から前記装備された位置に並進移動するよう動作可能である請求項７７に記載のヘッドセット。
【国際調査報告】
2005510262.tif 000052